(57)【要約】【課題】  ガイド部材の位置調整を簡単な操作で可能とする。【解決手段】  ガイドシュー７の固定手段を、ハウジング２に設けた収容溝２７内でスライドシャフト８側へ付勢され、スライドシャフト８に複数並設した切欠部１２，１２・・に係合可能なストッパピン２８と、スライドに伴ってストッパピン２８をスライドシャフト８からの離反方向へ移動させる第２切欠部１５，１５・・を備え、切欠部１２に嵌合するストッパピン２８と干渉しない退避位置と、ストッパピン２８を押し上げて切欠部１２から離脱させるロック解除位置との間でスライド操作可能なロックプレート１０と、ロックプレート１０を退避位置へ付勢するコイルバネ２３とから形成した。【選択図】  図１
2005046970.tif 000002
【特許請求の範囲】
【請求項１】
ブレードを前方へ突出させたハウジングの前端に、切断のガイド部材の基端部を前後へスライド可能に挿入すると共に、前記ハウジングとガイド部材との間に、前記ガイド部材を任意のスライド位置で固定可能な固定手段を設けた切断工具であって、
前記固定手段を、前記ハウジング側にあって前記基端部側へ付勢され、前記基端部に沿って複数並設した被係合部に係合可能なストッパ部材と、前記ガイド部材側にあって前記ストッパ部材を前記基端部からの離反方向へ移動させる押し上げ部を備え、前記被係合部に係合するストッパ部材と干渉しない退避位置と、前記ストッパ部材を押し上げて前記被係合部から離脱させるロック解除位置との間で移動操作可能なロック部材と、そのロック部材を前記退避位置へ付勢する付勢手段とから形成したことを特徴とする切断工具。
【請求項２】
ロック部材はガイド部材の基端部に沿ってスライド可能に設けられる請求項１に記載の切断工具。
【請求項３】
ロック部材の押し上げ部を基端部の被係合部に合わせて複数並設した請求項１または２に記載の切断工具。
【請求項４】
ブレードを前方へ突出させたハウジングの前端に、切断のガイド部材の基端部を前後へスライド可能に挿入すると共に、前記ハウジングとガイド部材との間に、前記ガイド部材を任意のスライド位置で固定可能な固定手段を設けた切断工具であって、
前記固定手段を、前記ガイド部材側へその直交方向へ所定のストロークでスライド操作可能に設けられ、付勢手段によって前記ストローク間の所定位置へ付勢される操作部材と、前記ガイド部材の基端部にあって前記操作部材と連結され、前記操作部材の所定位置で前記基端部から突出して前記ハウジングに設けた凹部に嵌合し、前記付勢に抗した第２の所定位置で前記基端部側に没入して前記凹部から離反するロック部材とから形成したことを特徴とする切断工具。
【請求項５】
ロック部材が、ガイド部材の基端部へ回転可能に軸着されて偏心位置で操作部材と連結され、前記操作部材のスライドに伴って回転して前記基端部から出没する回転板である請求項４に記載の切断工具。
【発明の詳細な説明】
【技術分野】
【０００１】
本発明は、ブレードを前方へ突出させたハウジングの前端に、切断のガイド部材を前後へスライド可能に設けたレシプロソー等の切断工具に関する。
【背景技術】
【０００２】
レシプロソー等の切断工具においては、ブレードを前方へ突出させたハウジングの前端に、被切断材等に当接させて切断のガイドに利用するガイドシュー等のガイド部材が備えられる。このガイド部材は、その基端部がハウジングに対して前後へスライド可能に挿入されると共に、ハウジングに螺合される六角ボルト等のネジ部材によって固定され、ネジ部材に装着した操作レバーの回転操作によってネジ部材の緊締と解除とを行うことで、工具を用いずにガイド部材のブレードに対する位置を調整可能となっている。
【０００３】
【特許文献１】特開２０００−２４８３２号公報
【発明の開示】
【発明が解決しようとする課題】
【０００４】
しかし、操作レバーの回転操作とガイド部材のスライド操作とは別個の操作、すなわち、一方の手で操作レバーを回転させて他方の手でガイド部材をスライドさせる操作となるため、ガイド部材の位置調整には常に両手が必要となる。よって、位置調整の度に切断工具を持ち替えたりして手間が掛かる上、作業が中断されて作業性も損なうことになる。
【０００５】
そこで、請求項１及び４に記載の発明は、工具が不要なガイド部材の位置調整をより簡単な操作で可能として、操作性や作業性に優れる切断工具を提供することを目的としたものである。
【課題を解決するための手段】
【０００６】
上記目的を達成するために、請求項１に記載の第１発明は、ガイド部材の固定手段を、ハウジング側にあって基端部側へ付勢され、基端部に沿って複数並設した被係合部に係合可能なストッパ部材と、ガイド部材側にあってストッパ部材を基端部からの離反方向へ移動させる押し上げ部を備え、被係合部に係合するストッパ部材と干渉しない退避位置と、ストッパ部材を押し上げて被係合部から離脱させるロック解除位置との間で移動操作可能なロック部材と、そのロック部材を退避位置へ付勢する付勢手段とから形成したことを特徴とするものである。
請求項２に記載の発明は、請求項１の目的に加えて、ロック部材をより良好な操作性で移動操作可能とするために、ロック部材をガイド部材の基端部に沿ってスライド可能に設けたものである。
請求項３に記載の発明は、請求項１または２の目的に加えて、ロック部材の操作量を少なくして位置調整をより簡単にするために、ロック部材の押し上げ部を基端部の被係合部に合わせて複数並設したものである。
【０００７】
上記目的を達成するために、請求項４に記載の第２発明は、ガイド部材の固定手段を、ガイド部材側へその直交方向へ所定のストロークでスライド操作可能に設けられ、付勢手段によってストローク間の所定位置へ付勢される操作部材と、ガイド部材の基端部にあって操作部材と連結され、操作部材の所定位置で基端部から突出してハウジングに設けた凹部に嵌合し、付勢に抗した第２の所定位置で基端部側に没入して凹部から離反するロック部材とから形成したことを特徴とするものである。
請求項５に記載の発明は、請求項４の目的に加えて、ロック部材をコンパクト且つ合理的に形成するために、ロック部材を、ガイド部材の基端部へ回転可能に軸着されて偏心位置で操作部材と連結され、操作部材のスライドに伴って回転して基端部から出没する回転板としたものである。
【発明の効果】
【０００８】
請求項１及び４に記載の発明によれば、ロック部材または操作部材の単純な操作でガイド部材の位置調整が可能となる。特に、片手でハウジングを保持したまま、他方の手でロック部材または操作部材を移動させつつガイド部材を前後へスライドさせることができるため、位置調整のためにハウジングを持ち替える必要がなく、作業中でも片手で迅速且つ容易にガイド部材を任意の位置に固定することが可能となる。よって、操作性や作業性に優れたものとなる。
請求項２に記載の発明によれば、請求項１の効果に加えて、ロック部材がより良好な操作性で移動操作可能となる。
請求項３に記載の発明によれば、請求項１または２の効果に加えて、ロック部材の操作量を少なくして位置調整をより簡単にすることができる。
請求項５に記載の発明によれば、請求項４の効果に加えて、ロック部材をコンパクト且つ合理的に形成することができる。
【発明を実施するための最良の形態】
【０００９】
以下、本発明の実施の形態を図面に基づいて説明する。
《形態１》
図１は、切断工具の一例であるレシプロソーの先端部分を示す断面説明図である。レシプロソー１は、ハウジング２内に、図示しないモータや、そのモータの回転をスライダ３の往復動に変換する変換機構等を内設し、スライダ３の先端に連結したブレード４をハウジング２の前方（図１の左側）に突出させている。また、ハウジング２の先端下面には、ハウジング２の下面にネジ止め固定されるシューカバー５によって、前方が開口する収容部６が前後方向に形成され、その収容部６にガイド部材としてのガイドシュー７が装着されている。このガイドシュー７は、後端が収容部６へスライド可能に挿入される基端部としてのスライドシャフト８と、そのスライドシャフト８の先端へ直交状に連結され、ブレード４が貫通するシュー９と、スライドシャフト８に沿ってスライド可能なロック部材としてのロックプレート１０とからなる。
【００１０】
まずスライドシャフト８は、図２にも示すように、長手方向の両側縁が上方へ直角に折曲した立ち上げ部１１，１１となる断面コ字状に形成されており、両立ち上げ部１１の後方側（図２での上側）には、底面が湾曲凹部となる被係合部としての切欠部１２，１２・・が、等間隔で複数箇所（ここでは４箇所ずつ）、スライドシャフト８の長手方向の中心線を中心に左右対称に凹設されている。また、切欠部１２，１２間の山部１３，１３・・は、前後面が立ち上げ部１１と直交する平面となって、各切欠部１２をＵ字状に形成している。なお、山部１３は、最後方の切欠部１２の後方側にも形成されている。
【００１１】
次に、ロックプレート１０も、スライドシャフト８と同様に長手方向の両側縁が、立ち上げ部１１と上端が揃うように上方へ直角に折曲した第２立ち上げ部１４，１４となる断面コ字状に形成されている。この第２立ち上げ部１４，１４には、切欠部１２と同様に底面が湾曲凹部となる押し上げ部としての第２切欠部１５，１５・・が、切欠部１２に合わせて同じ数及び同じ深さと間隔とで、ロックプレート１０の長手方向の中心線を中心に左右対称に形成されている。但し、この第２切欠部１５，１５間の山部１６，１６・・は、上端がスライドシャフト８の山部１３よりも前後幅が狭い円形状に形成されて第２切欠部１５と連続している。よって、第２切欠部１５は、切欠部１２よりも前後幅がやや広い半円状となっている。
【００１２】
また、ロックプレート１０の中央前方には、前後方向に略四角形のスリット１７が形成される一方、スライドシャフト８には、前後に透孔１８，１９が形成されて、その透孔１８，１９間の中間部２０がスリット１７内に突出するように上方へ湾曲形成されている。スリット１７の前後の両端縁には、スリット１７を中央で仕切る格好で互いの対向側へ突出片２１，２２が突設され、後方の突出片２１にはコイルバネ２３が巻装されて、コイルバネ２３の前端を中間部２０に当接させている。一方、前方の突出片２２は、中間部２０の下方へ回り込むように折曲されている。よって、ロックプレート１０は、コイルバネ２３によって後方へ付勢されることになるが、ロックプレート１０の後端には、スライドシャフト８に穿設された四角形状の小孔２４に挿入するストッパ片２５が下方へ折曲形成されていることから、ロックプレート１０は、常態ではストッパ片２５が小孔２４の後縁に当接する図１〜３の後退位置（退避位置）で移動を規制される。このロックプレート１０の後退位置で、第２切欠部１５，１５・・はスライドシャフト８の切欠部１２，１２・・と左右方向で揃うようになっている。
【００１３】
さらに、ロックプレート１０の前端には、収容部６の前方で操作片２６が、下方へ折曲形成されて透孔１９を貫通しており、この操作片２６を利用してロックプレート１０をコイルバネ２３の付勢に抗して前方へスライドさせると、ストッパ片２５が小孔２４の前縁に位置する前進位置（押し上げ位置）まで移動可能となる。このロックプレート１０の前進位置で、図５に示すように、第２切欠部１５，１５・・はスライドシャフト８の切欠部１２，１２の間隔の略半分だけ前方へ移動し、ロックプレート１０の各山部１６，１６・・は、切欠部１２，１２・・間に夫々位置するものとなる。
なお、ロックプレート１０の突出片２２は、ロックプレート１０の前後位置何れにかかわらず中間部２０と係止して、ロックプレート１０のスライドシャフト８からの離脱を防止するようになっている。
【００１４】
そして、ハウジング２における収容部６の上面には、図４にも示すように、収容部６に開口する収容溝２７が左右方向に凹設されており、その収容溝２７内に、ストッパ部材としてのストッパピン２８が上下動可能に収容されている。収容溝２７の底部左右には、一対のバネ受け部２９，２９が凹設されて、各バネ受け部２９にコイルバネ３０が夫々収容されていることから、ストッパピン２８は、コイルバネ３０，３０によって下方へ付勢されてスライドシャフト８及びロックプレート１０と当接することになる。また、ストッパピン２８は、横断面がスライドシャフト８の切欠部１２に嵌合可能な同じＵ字状に形成されていることから、スライドシャフト８の切欠部１２とロックプレート１０の第２切欠部１５とが揃うロックプレート１０の後退位置では、ストッパピン２８は切欠部１２と第２切欠部１５とに同時に嵌合し、スライドシャフト８とロックプレート１０との前後移動を規制することになる。このロックプレート１０、切欠部１２、第２切欠部１５、コイルバネ２３、ストッパピン２８でガイドシュー７の固定手段を形成している。
【００１５】
以上の如く構成されたレシプロソー１においては、常態では、ロックプレート１０はコイルバネ２３の付勢によって後方の退避位置にあるため、図１のように左右で位置が揃う切欠部１２と第２切欠部１５とにストッパピン２８が嵌合して、当該位置でガイドシュー７の位置は固定される。ここからガイドシュー７の位置調整を行う場合、ロックプレート１０の操作片２６を利用してロックプレート１０を前方へスライドさせると、ロックプレート１０の第２切欠部１５，１５・・も前方へ移動する。この第２切欠部１５，１５・・の移動によって、ストッパピン２８が半円状の第２切欠部１５に摺接しながらコイルバネ３０の付勢に抗して上方へ押し上げられ、ロックプレート１０の前進が終了したロック解除位置では、図５のようにストッパピン２８が丁度山部１６に乗り上がって収容溝２７内に押し戻され、切欠部１２から離反する。よって、そのまま同図のようにガイドシュー７を任意の前後位置へスライドさせることができる。
【００１６】
ガイドシュー７の位置が決まると、操作片２６によるロックプレート１０の引っ張りを解除すれば、ロックプレート１０がコイルバネ２３の付勢によって後退する。この移動に伴い、下方へ付勢される山部１６上のストッパピン２８が再び第２切欠部１５に摺接しながら下方へ移動し、第２切欠部１５，１５・・が切欠部１２，１２・・と左右方向で揃うロックプレート１０の退避位置では、ストッパピン２８が切欠部１２及び第２切欠部１５に嵌合してスライドシャフト８の移動を規制するため、当該位置でガイドシュー７は固定される。
【００１７】
なお、この位置調整の際、ストッパピン２８の真下にスライドシャフト８の切欠部１２が位置しないことがあっても、スライドシャフト８を前後何れかの方向へ微動させれば、下方へ付勢されるストッパピン２８はそのまま切欠部１２へ嵌合する。ストッパピン２８の下面は円形状であるから、この微調整はスムーズになされる。
また、スライドシャフト８の切欠部１２とストッパピン２８の前後面を、互いに平行な平面としているから、切欠部１２への嵌合状態でストッパピン２８が切欠部１２から外れにくくなり、切断作業時に振動が生じてもガイドシュー７が不意に移動したりするおそれがなくなる。
【００１８】
このように上記形態１のレシプロソー１によれば、ガイドシュー７の固定手段を、スライドシャフト８の切欠部１２に嵌合可能なストッパピン２８と、第２切欠部１５を備えて退避位置とロック解除位置との間でスライド操作可能なロックプレート１０と、そのロックプレート１０を退避位置へ付勢するコイルバネ２３とから形成したことで、ロックプレート１０の単純なスライド操作でガイドシュー７の位置調整が可能となる。特に、片手でハウジング２を保持したまま、他方の手でロックプレート１０をスライドさせつつスライドシャフト８またはシュー９を把持して前後へスライドさせることができるため、位置調整のためにハウジング２を持ち替える必要がなく、作業中でも片手で迅速且つ容易にガイドシュー７を任意の位置に固定することが可能となり、操作性や作業性に優れたものとなる。特にここでは、ロックプレート１０がスライドシャフト８に沿ってスライド可能な構造としているから、片手での移動操作がより良好な操作性で可能となる。
また、ロックプレート１０の第２切欠部１５をスライドシャフト８の切欠部１２に合わせて複数並設しているから、ロック解除の際のロックプレート１０の操作量が僅かで済み、より簡単な操作で位置調整が行えるようになっている。
【００１９】
なお、上記形態１では、スライドシャフトとロックプレートとの左右の立ち上げ部に夫々切欠部と第２切欠部とを設けているが、左右何れか一方や中央部のみに立ち上げ部と切欠部とを設けても差し支えない。
また、ストッパ部材としては、上記横長のストッパピン以外に、左右の立ち上げ部ごとにピン部材を縦方向に設けたり、ピンに代えてボールを採用したりすることもできる。さらに、ロックプレート等のロック部材を付勢する付勢手段は、コイルバネに限らず、板バネやゴム等の弾性体を用いることもできる。これはストッパ部材の付勢手段についても同様である。
【００２０】
一方、ロック部材の押し上げ部は、上記ロックプレートのようにガイド部材の被係合部に合わせて設けるものに限らず、先端のみに傾斜面や湾曲面等の押し上げ部を形成したバーやロッド等のロック部材を用いて、このロック部材のスライド操作により、先端の押し上げ部でストッパ部材を被係合部から離脱させる構造も採用可能である。
その他、ロック部材をロック解除位置で保持する保持手段（例えばロック部材側の係止部と基端部側の被係止部との係止によるもの等）を設けたり、ロック部材を、退避位置へ回転付勢される回転板としたりすることもできる。
【００２１】
《形態２》
次に、第２発明に対応する実施の形態を説明する。なお、上記形態１と同じ構成部は同じ符号を付して重複する説明を省略する。
図６に示すレシプロソー１ａにおいて、ハウジング２の先端下面に形成される収容部６には、ガイド部材としてのガイドシュー３１が装着されている。ガイドシュー３１は、後端が収容部６へスライド可能に挿入される基端部としての平板状のスライドシャフト３２と、そのスライドシャフト３２の先端へ直交状に連結され、ブレード４が貫通するシュー３３と、スライドシャフト３２に配される固定手段としてのロック機構３５とからなる。
【００２２】
ロック機構３５は、図７にも示すように、スライドシャフト３２におけるシュー３３の連結部位よりもやや後方位置で、スライドシャフト３２の左右の立ち上げ部３４，３４を直交状に貫通する操作部材としての棒状の操作バー３６と、その操作バー３６の中央を直交状に貫通して操作バー３６へ一体に固着され、スライドシャフト３２に沿って後方へ伸張する平板状の連結バー３７と、スライドシャフト３２の後方でピン３８によって回転可能に軸着され、連結バー３７の後端と連結されるロック部材としての小判型の回転板３９とを有する。よって、操作バー３６は、連結バー３７が左右の立ち上げ部３４，３４に当接する間のストロークで左右にスライド可能となる。但し、操作バー３６における連結バー３７の貫通部の両端で立ち上げ部３４，３４との間には、一対のコイルバネ４０，４０が夫々外装されて、常態では、操作バー３６及び連結バー３７を所定位置であるスライドシャフト３２の中央に付勢している。
【００２３】
一方、立ち上げ部３４，３４は、スライドシャフト３２の後方へ行く程徐々に低くなるように形成されており、回転板３９の位置では、回転板３９より低い高さとなって回転板３９の回転を許容している。また、回転板３９は、スライドシャフト３２と直交する回転位置（横向き姿勢）では、両端が立ち上げ部３４，３４を越えて左右へ突出する長さとなっている。
さらに、回転板３９の上面には、回転板３９の上記横向き姿勢でピン３８の真後ろに当たる位置で偏心ピン４１が立設されて、この偏心ピン４１が連結バー３７の後端に穿設した長孔４２に遊挿して両者が連結されている。
【００２４】
よって、操作バー３６をフリーにした状態では、図７に示すように、コイルバネ４０，４０の付勢によって連結バー３７と共に偏心ピン４１が中央に位置して回転板３９を横向き姿勢に維持する。収容部６を形成するハウジング２の左右の内壁には、横向き姿勢の回転板３９の両端が嵌合可能な左右一対の凹部４３，４３が前後へ二組凹設されていることから、この回転板３９の凹部４３，４３への嵌合によってスライドシャフト３２の前後移動が規制され、ガイドシュー３１は当該位置で固定される。
そして、ここから操作バー３６を左右何れか一方側の第２の所定位置へスライドさせると、図８に示すように、コイルバネ４０の付勢に抗して連結バー３７も当該方向へ平行移動し、偏心ピン４１を介して回転板３９を回転させる。よって、回転板３９の両端がスライドシャフト３２内へ没入する格好となり、図９の二点鎖線で示すように凹部４３，４３から離反する。よって、ガイドシュー３１の前後移動が可能となる。
【００２５】
以上の如く構成されたレシプロソー１ａにおいては、前述のように回転板３９がハウジング２の前後の凹部４３，４３の何れかに嵌合する状態から、操作バー３６を把持して左右何れか一方側へ押し込むと、回転板３９が左右何れかへ回転し、凹部４３，４３から離反して、ガイドシュー３１の前後移動を許容する。よって、そのままスライドシャフト３２を前後何れかの方向へスライドさせた後、操作バー３６の押込みを解除すると、コイルバネ４０，４０の付勢によって再び回転板３９が横向き姿勢へ回転して当該位置の凹部４３，４３に嵌合し、ガイドシュー３１の前後移動を規制することができる。
【００２６】
このように上記形態２のレシプロソー１ａにおいても、ガイドシュー３１の固定手段を、ガイドシュー３１側へスライド操作可能に設けられ、コイルバネ４０によって所定位置へ付勢される操作バー３６と、スライドシャフト３２にあって操作バー３６と連結され、操作バー３６の所定位置でスライドシャフト３２から突出して凹部４３に嵌合し、付勢に抗した第２の所定位置でスライドシャフト３２側に没入して凹部４３から離反する回転板３９とから形成したことで、操作バー３６の単純なスライド操作でガイドシュー３１の位置調整が可能となる。特に、片手でハウジング２を保持したまま、他方の手で操作バー３６をスライドさせつつスライドシャフト３２またはシュー３３を把持して前後へスライドさせることができるため、位置調整のためにハウジング２を持ち替える必要がなく、作業中でも片手で迅速且つ容易にガイドシュー３１を任意の位置に固定することが可能となり、操作性や作業性に優れたものとなる。
また、ロック部材を、ガイドシュー３１のスライドシャフト３２へ回転可能に軸着されて偏心位置で操作バー３６と連結され、操作バー３６のスライドに伴って回転してスライドシャフト３２から出没する回転板３９としたことで、ロック部材をコンパクト且つ合理的に形成することができる。
【００２７】
なお、上記形態２では、凹部４３，４３を前後二対のみとしているが、三対以上設けることもできる。また、連結バー３７と回転板３９との連結位置（偏心ピン４１の位置）を、ピン３８よりも後方側に設けているが、ピン３８よりも前方側に位置させても差し支えない。
さらに、２つのコイルバネの付勢によって操作バーを中央位置へ付勢しているが、１つのコイルバネによって操作バーを左右何れか一方寄りの所定位置へ付勢して、その付勢位置で回転板が横向き姿勢になるように偏心ピンを設けて、操作バーの反対側の第２の所定位置へのスライドで回転板が回転するような構造も採用可能である。
【００２８】
一方、ロック部材は回転板に限らず、スライドシャフトの後端へ直交方向へスライド可能に設けられて連結バーと一体に連結され、操作バー及び連結バーのスライドに伴う直線移動でスライドシャフトから出没可能な棒状体或いは板状体のスライド板としても良い。また、連結バーは操作バーの位置に合わせてもっと短くしても良いし、操作バーを連結バーと一体のＴ字状に形成することもできる。
【図面の簡単な説明】
【００２９】
【図１】形態１におけるレシプロソーの前方部分の縦断面図である。
【図２】ガイドシューの斜視図である。
【図３】ガイドシューの斜視図である。
【図４】レシプロソーにおけるストッパピン部分の横断面図である。
【図５】ガイドシューをスライドさせた状態を示す説明図である。
【図６】形態２におけるレシプロソーの前方部分の縦断面図である。
【図７】ガイドシューの説明図（上が平面、下が縦断面）である。
【図８】ガイドシューの平面図（上が回転板の右回転、下が左回転）である。
【図９】シューカバーを除いたレシプロソーを下方から見た説明図である。
【符号の説明】
【００３０】
１・・レシプロソー、２・・ハウジング、６・・収容部、７，３１・・ガイドシュー、８，３２・・スライドシャフト、９，３３・・シュー、１０・・ロックプレート、１１・・立ち上げ部、１２・・切欠部、１３，１６・・山部、１４・・第２立ち上げ部、１５・・第２切欠部、２３，３０・・コイルバネ、２７・・収容溝、２８・・ストッパピン、３５・・ロック機構、３６・・操作バー、３７・・連結バー、３９・・回転板、４３・・凹部。
【図１】
2005046970.tif 000003
【図２】
2005046970.tif 000004
【図３】
2005046970.tif 000005
【図４】
2005046970.tif 000006
【図５】
2005046970.tif 000007
【図６】
2005046970.tif 000008
【図７】
2005046970.tif 000009
【図８】
2005046970.tif 000010
【図９】
2005046970.tif 000011